(57)【要約】    物理的侵入検出／警報を管理するためのネットワーク化されたシステムであって、エンドノードのネットワークを含み、これは例えば、物理的条件を検知するための一つ以上の制限付きセンサノードを含むセンサノードであり、制限付きセンサノードのためのネットワーク接続を与えるゲートウェイを含む。このシステムは、一つ以上の制限付きセンサ・ノードをゲートウェイへ接続するためのレンジ・エクステンダを更に含み、このレンジ・エクステンダは第１と第２の無線機と、ゲートウェイ及び制限付きノードへ無線で接続する。【選択図】  図２
2017514335.tif 000002
【特許請求の範囲】
【請求項１】
アクセス・ポイントとエンドノードとを含むネットワークに用いるための装置であって、
前記アクセス・ポイントに無線で通信している第１の無線機と、
第１の無線機から受信したメッセージを制御及び処理するようにプログラムされた第１の処理デバイスと、
前記エンドノードに無線で通信している第２の無線機と、
第２の無線機から受信したメッセージを制御及び処理するようにプログラムされた第２の処理デバイスとを備え、
第１と第２の処理デバイスは、前記エンドノードと前記アクセス・ポイントの何れかを第１の無線機と第２の無線機へ切り換えるように構成されると共に、それに第１と第２のプロセッサは通信するように構成されている装置。
【請求項２】
請求項１の装置において、第１の処理デバイスが、前記アクセス・ポイントへ送るデータが無いことを認識することにより通信を切り換え、次の周波数変化においては、第１の処理デバイスが前記無線機にその機能性を前記エンドノード側を操作するように切り換えさせる装置。
【請求項３】
請求項１の装置において、前記機能性変化の発生は、前記アクセス・ポイントが次の周波数で用いると期待される滞留時間を含む通信により、前記ネットワークにおける他の無線機へ通信される装置。
【請求項４】
請求項１の装置において、第１の無線機と第２の無線機との少なくとも一方が、少なくとも一つの予め規定されたパワー特性を有するデバイスのための一つ以上の通信チャンネルにおいて聞くように制御可能である装置。
【請求項５】
請求項１の装置において、第１と第２のプロセッサは、それらプロセッサの間に伝達させる直接メモリアクセス（ＤＭＡ）を用いて、それらプロセッサの間で通信を交換する装置。
【請求項６】
請求項１の装置において、第１と第２のプロセッサは、それぞれのプロセッサが接続された前記装置の側におけるそれ自身の無線通信を各々管理する装置。
【請求項７】
請求項１の装置において、第１と第２のプロセッサは各々がそれぞれの前記無線機へ、周波数アジリティ／ホッピングア及び選択、プロトコル管理及び制御、メッセージ記憶及び転送サービス及びメッセージプロトコル状態及び環境機能を与える装置。
【請求項８】
請求項１の装置において、第１のプロセッサはマルチコア・プロセッサの一つ以上のコアにより与えられ、かつ、第２のプロセッサは前記マルチコア・プロセッサの一つ以上の別のコアによって与えられる装置。
【請求項９】
請求項１の装置において、前記装置はレンジ・エクステンダである装置。
【請求項１０】
ネットワーク・レンジ・エクステンダであって、
アクセス・ポイントに無線通信する第１の無線機と、
第１の無線機の無線周波数（ｒｆ）入力及び出力に結合する第１のアンテナ要素と、
第１の無線機から受信したメッセージを制御及び処理するようにプログラムされた第１の処理デバイスと、
エンドノードに無線通信する第２の無線機と、
第２の無線機の無線周波数（ｒｆ）入力及び出力に結合する第２のアンテナ要素と、
第２の無線機から受信したメッセージを制御及び処理するようにプログラムされた第２の処理デバイスとを備えるネットワーク・レンジ・エクステンダ。
【請求項１１】
請求項１０の装置において、第１と第２のプロセッサは、直接メモリアクセス（ＤＭＡ）又は前記プロセッサの間の他の伝達方法を用いて、前記プロセッサの間で通信を交換する装置。
【請求項１２】
請求項１０の装置において、第１と第２のプロセッサは、それぞれのプロセッサが接続された前記装置の側におけるそれ自身の無線通信を各々管理する装置。
【請求項１３】
請求項１の装置において、第１の無線機は、対応する複数のアクセス・ポイントにサービスを提供する一組の複数の第１の無線機の一部である装置。
【請求項１４】
請求項１の装置において、第２の無線機は、対応する複数のエンドノードにサービスを提供する一組の複数の第２の無線機の一部である装置。
【請求項１５】
ネットワーク化された検出システムであって、
センサのネットワークと、
一つ以上のセンサ・デバイスを前記ネットワークに接続するためにネットワーク接続を提供するゲートウェイと、
一つ以上のセンサ・デバイスを前記ゲートウェイに接続するためのレンジ・エクステンダとを備え、そのレンジ・エクステンダは、
アクセス・ポイントに無線通信する第１の無線機と、
第１の無線機から受信したメッセージを制御及び処理するようにプログラムされた第１の処理デバイスと、
エンドノードに無線通信する第２の無線機と、
第２の無線機から受信したメッセージを制御及び処理するようにプログラムされた第２の処理デバイスとを含むネットワーク化された検出システム。
【請求項１６】
請求項１５のネットワーク化された検出システムにおいて、少なくとも幾つかの前記センサは制限付きセンサ・デバイスであり、前記複数のセンサの一つずつは、前記制限付きセンサ・デバイスよりも大きな処理能力を有する第２の異なる形式のデバイスであり、前記レンジ・エクステンダは前記制限付きセンサ・デバイスを前記ゲートウェイへ接続するネットワーク化された検出システム。
【請求項１７】
請求項１５のネットワーク化された検出システムにおいて、第１の無線機及び第１のプロセッサが複数の第１の無線機及び第１のプロセッサの一部であり、第２の無線機及び第２のプロセッサは前記レンジ・エクステンダを与えるネットワーク化された検出システム。
【請求項１８】
請求項１５のネットワーク化された検出システムにおいて、第２の無線機及び第２のプロセッサが複数の第２の無線機及び第２のプロセッサの一部であり、第１の無線機及び第１のプロセッサは前記レンジ・エクステンダを与えるネットワーク化された検出システム。
【発明の詳細な説明】
【発明の概要】
【０００１】
優先権の主張
本出願はアメリカ合衆国法典第３５巻特許法第１１９条（ｅ）に基づき、米国仮特許出願第６１／９７３，９６２号として、２０１４年４月２日に出願した発明の名称”Ｗｉｒｅｌｅｓｓ  Ｓｅｎｓｏｒ  Ｎｅｔｗｏｒｋ”）、米国仮特許出願第６１／９４６，０５４号として、２０１４年２月２８日に出願した発明の名称”Ｗｉｒｅｌｅｓｓ  Ｓｅｎｓｏｒ  Ｎｅｔｗｏｒｋ”）、及び米国実用特許出願１４／４６３，９８０号として、２０１４年８月２０日に出願した表題”Ｎｅｔｗｏｒｋ  Ｒａｎｇｅ  Ｅｘｔｅｎｄｅｒ  ｗｉｔｈ  Ｍｕｌｔｉ−ＲＦ  Ｒａｄｉｏ  Ｓｕｐｐｏｒｔ  ｆｏｒ  Ｐｌｕｒａｌｉｔｙ  ｏｆ  Ｎｅｔｗｏｒｋ  Ｉｎｔｅｒｆａｃｅｓ”の優先権を主張するものであり、それらの内容の全体が参照により本出願に組み込まれている。
複数のネットワーク・インターフェースのための多重ＲＦ無線支持を有するネットワーク・レンジ・エクステンダ
発明の背景
【０００２】
この説明は、ネットワーク保安システム、特に、無線であって、レンジ・エクステンダを含む侵入システムの操作に関する。
【０００３】
遠隔サーバー・ベースの監視及びレポート作成によるデータ収集システムに基づく無線センサー・ネットワーク／無線デバイスは、例えば家庭用安全監視、電気及び水道設備メーター監視、人物及び資産追跡のようなアプリケーションにおいて、より一般的になってきている。例えば企業や住宅所有者は、その敷地での警報状況を検出して、監視ステーション又は保安システムの認可ユーザーに状況を送信するために保安システムを持つことが一般的である。
【０００４】
従来の低出力ネットワーク・レンジ・エクステンダは、エンドノード側とネットワークのアクセス・ポイント側との間で多重送信する。このアーキテクチュアは、特にエネルギ収集及びバッテリ作動されたデバイスのために制限されることがある。このようなアーキテクチュアは、予測不能であり、利用可能な通信帯域幅を浪費することがある。
概要
【０００５】
分割アーキテクチュアを有するレンジ・エクステンダを用いて実装される通信システムの技術がここに説明される。この分割アーキテクチュアでは、独立無線機が無線ネットワークにおける異なる側へ相互作用し、一つ以上のプロセッサは対応する一つ又は複数の無線機を制御する。幾つかの実施形態では、ネットワーク展開の必要性（例えば、エネルギ検知性デバイス又は本線力のため）に基づくネットワーク通信チャンネルに亘って無線機を分布させることができる。更にまた、無線機／プロセッサはネットワークを管理する際に多数の挙動を採るように構成し得る。また更に、ネットワークを管理する複数の無線機の間の活動及びパラメータの通信がここに説明される。
【０００６】
一つの態様によると、アクセス・ポイントとエンドノードとを含むネットワークにおいて使用するデバイスは、アクセス・ポイントに無線通信する第１の無線機と、この第１の無線機から受信されたメッセージを操作及び処理するようにプログラムされた第１の処理デバイスと、エンドノードに無線通信する第２の無線機と、この第２の無線機から受信されたメッセージを操作及び処理するようにプログラムされた第２の処理デバイスとを含み、第１及び第２の処理デバイスは、第１及び第２の無線機及び第１及び第２のプロセッサが通信するように構成されているのを、エンドノードとアクセス・ポイントとの何れかに切り換えるように構成されている。
【０００７】
幾つかの態様は、ネットワーク・レンジ・エクステンダを含み、アクセス・ポイントに無線通信する第１の無線機、第１の無線機の無線周波数（ｒｆ）入力及び出力に結合された第１のアンテナ要素と、第１の無線機から受信したメッセージを制御及び処理するようにプログラムされた第１の処理デバイスと、エンドノードに無線通信する第２の無線機と、第２の無線機の無線周波数（ｒｆ）入力及び出力へ結合された第２のアンテナ要素と、第２の無線機から受信したメッセージを制御及び処理するようにプログラムされた第２の処理デバイスとを含む。
【０００８】
幾つかの態様はネットワーク検出システムも含み、これはセンサのネットワークと、一つ以上のセンサデバイスをネットワークへ接続するネットワーク接続を与えるゲートウェイと、一つ以上のセンサデバイスをゲートウェイへ接続するためのレンジ・エクステンダと、このレンジ・エクステンダにより第２のアクセス・ポイントと無線通信する第１の無線機と、この第１の無線機から受信したメッセージを制御及び処理するようにプログラムされた第１の処理デバイスと、エンドノードと無線通信する第２の無線機と、この第２の無線機から受信したメッセージを制御及び処理するようにプログラムされた第２の処理デバイスとを含む。
【０００９】
一つ以上の利点は一つ以上の態様により与えられる。
【００１０】
このアーキテクチュアは無線周波数（RF）帯域を管理する複数の無線機を有し、この無線機は操作を調整し得る。例えば、無線機は通信路と接触することができ（例えば、ピング）、その後、そのチャンネル上でエンドノードとの通信を始めることができる。その無線機／プロセッサはそれが周波数帯で機能していることをレンジ・エクステンダのその側での任意の他の無線機に通知することがあり、それは他の無線機がプロセスを走査しているそれらのチャンネルを変える原因になることがありえる。レンジ・エクステンダはエンドノードに様々なプロトコルを支持することができ、その一方で、一つのインターフェースをゲートウェイに接続しているアクセス・ポイントに与える。利用可能な無線機プロセッサの組合せは、エンドノード操作の監視を可能とする。幾つかの実施例では、アクセス・ポイントはトランスレータとして作動することがあり、アクセス・ポイント・プロトコルにプロキシを提供することがある。
【００１１】
本発明の一つ以上の実施形態の詳細は、添付の図面と下記の説明に記載される。発明の他の特徴、目的、及び利点は、説明と図面から、そして、特許請求の範囲から明らかである。
【図面の簡単な説明】
【００１２】
【図１】図１は例示的なネットワーク化された保安・システムの概略図である。
【図１Ａ】図１Ａおよび図１Ｂは例示的データフレームとＰＨＹパケット及び６ＬｏＷＰＡＮメッシュタイプ及びヘッダをそれぞれ示す。
【図１Ｂ】図１Ａおよび図１Ｂは例示的データフレームとＰＨＹパケット及び６ＬｏＷＰＡＮメッシュタイプ及びヘッダをそれぞれ示す。
【図２】図２はネットワークのブロック図であり、これは図１のネットワークとなることができ、エンドノードと通信するための第１の無線機及びプロセッサとアクセス・ポイントと通信するための第２の無線機及びプロセッサを有する例示的なレンジ・エクステンダを含む。
【図３】図３はエンドノードと通信するための第１の無線機及びプロセッサと、アクセス・ポイントとの通信するための第２の無線機及びプロセッサとを有する例示的なレンジ・エクステンダのブロック図である。
【図４】図４は変調によって発生した周波数スペクトルの例を表しているグラフである。
【図５】図５は周波数帯域の例を表しているグラフである。
【図６】図６は複数のアクセス・ポイントへのレンジ・エクステンダにより使用される複数の通信路のために無線機及びプロセッサを有するレンジ・エクステンダのブロック図である。
【図７】図７は複数のエンドノードにレンジ・エクステンダにより使用される複数の通信路のために無線機及びプロセッサを有する例示的レンジ・エクステンダのブロック図である。
【図８】図８は複数のエンドノードにレンジ・エクステンダにより使用される複数の通信路のために無線機とプロセッサを有する例示的レンジ・エクステンダプロセスのフローチャートである。
【図９】図９は例示的ネットワーク化された保安・システムの構成要素のブロック図である。
【発明を実施するための形態】
【００１３】
ここに記載するのは、保安／侵入及び警報システムを含むが、これに限定されず、様々な状況で使用され得るネットワーク機能の例である。例示的な保安システムは、様々なセンサへ電気的又は無線で接続された侵入検出パネルを含むことができ。これらのセンサの形式には、動作検出器、カメラ及び近接センサ（例えば、ドア又は窓が開放されたか否かを判断するのに用いられる）を含むことができる。一般的に、このようなシステムは、監視されている特定の状況が変化したか安全ではなくなったことを示す比較的単純な信号（電気的に開閉）をこれらのセンサの一つ以上から受信する。例えば、一般的な侵入システムは、建物の入口ドアを監視するように設定することができる。ドアが閉じているとき、近接センサは磁気的接触を検知して、電気的に閉じた回路を生成する。ドアが開放されるとき、近接センサは回路を開き、警報状況が生じた（例えば、入口ドアが開放されている）ことを示す信号をパネルに送る。データ収集システムは、或るアプリケーション、例えば家庭用安全監視においてより一般的になっている。データ収集システムは無線センサー・ネットワークと無線デバイスを使用して、遠隔サーバー・ベース監視及びレポート作成を含むこともある。以下により詳細に記載されているように、通常最低レベル接続（例えば、ハブ／ゲートウェイへのエンドノード・デバイス）のために使われる無線リンクで、無線センサ・ネットワークは、一般にコンピュータ・デバイス同士の間の有線及び無線リンクの組合せを用いる、無線リンクは通常は最も低いレベルでの（例えばエンド・ノード・デバイスからハブ／ゲートウェイへの）接続に用いられる。例示的なネットワークでは、ネットワークの（無線接続された）段は、特定の機能でリソース制限付きデバイスから構成されている。これらのデバイスは小から中程度の処理能力及びメモリを有し、バッテリから電力供給されることがあるので、多くの時間をスリープ・モードに費やすことによって、それらがエネルギ節約する必要がある。一般的なモデルは、各々のエンドノードが直接ハブ及びスポーク方式スタイルのアーキテクチュアでペアレント・ノードと直接に通信する単一の無線ネットワークを各エッジ・デバイスが形成するようなものとなる。ペアレント・ノードは、例えば、アクセス・ポイント又は他のサブコーディネータに接続されるゲートウェイ上のアクセス・ポイント又はサブコーディネータとすることができる。
【００１４】
ここで図１を参照すると、無線センサ・ネットワーク（Wireless Sensor Network：WSN）のための例示的な（グローバル）分散型ネットワーク１０トポロジーが図示される。図１において、分散型ネットワーク１０は論理的に一組の段又は階層的なレベル１２ａ−１２ｃに分割される。
【００１５】
ネットワークの上段又は階層的なレベルでは、ネットワークのインターネット・プロトコルのような確立したネットワーク技術を使用して一緒にネットワーク化され、或いは、何も使わない個人的なネットワーク又はインターネットの一部でありえる「クラウド・コンピューティング」パラダイムを実行させている配置されたサーバーや仮想サーバー１４である。それらのサーバー１４で作動するアプリケーションは、例えばウェブ・インターネット・ネットワークＸＭＬ／ＳＯＡＰ、ＲＥＳＴｆｕｌ）ウェブ・サービスと他のアプリケーション層技術（例えばＨＴＴＰとＡＴＯＭ）のために様々なプロトコルを用いて通信する。分散型ネットワーク１０には、図示されて以下に説明するデバイス（ノード）の間の直接的なリンクを有する。
【００１６】
分散型ネットワーク１０は第２の論理的に分かれた段又は階層的なレベル１２ｂを含み、個々のアーキテクチュア及び構造の中の中心近くの場所にあるゲートウェイ１６を含む中央の段としてここを参照する。これらゲートウェイ１６上段におけるサーバー１４を通信し、サーバーがウェブ・プログラミング技法を用いたクラウド・アプリケーションを実行している独立型専用サーバ及び／又はクラウドベースのサーバーであるか否かに関わらず、これらのゲートウェイ１６は上段でサーバー１４と通信する。中央段ゲートウェイ１６は、ローカル・エリア・ネットワーク１７ａ（例えば、イーサネット（登録商標）又は８０２.１ １）とセルラー・ネットワーク・インターフェース１７ｂでも示される。
【００１７】
分散型ネットワーク・トポロジーは、複数のデバイスのセットの下段（エッジ層）１２ｃも含み、これは完全に機能的なセンサー・ノード１８（例えば、例えば、無線デバイス、例えばトランシーバ又は少なくとも送信機（図１中の「Ｆ」で示される）を含むセンサー・ノード）並びに制限された無線・センサー・ノード又はセンサー・エンドノード２０（図１中の「Ｃ」で示される）に関係している。幾つかの実施形態において、有線のセンサー（図示せず）は、分散型ネットワーク１０の態様に含めることができる。ここで用いられる制限付きコンピュータ・デバイス２０は、実質的に持続的でない不揮発メモリ他のコンピュータ・デバイス、検出システムにおけるセンサを有するデバイスである。現在、制限付きデバイスの例は、約１メガバイト未満のフラッシュ／持続的なメモリ、及び、１０-２０キロバイト未満のRＡM／揮発性メモリである。これらの制限付きデバイス２０は、通常、コスト／物理的構成検討事項に起因して、このように構成される。
【００１８】
一般的なネットワークでは、ネットワークの段のエッジ（無線接続されている）は、特定の機能を有する高い資源制限付きデバイスから成る。これらのデバイスには小から中程度の処理電力及びメモリがあって、しばしばバッテリで作動し、多くの時間をスリープ・モードに費やすことによって、それらがエネルギ節約することが必要である。一般的なモデルは、エッジ・デバイスが、各々のエンドノードが直接にハブ・アンド・スポーク方式スタイルのアーキテクチュアのそのペアレント・ノードに直接に通信している一つの無線ネットワークを一般に形成する。ペアレント・ノードは、例えば、ゲートウェイ上のアクセス・ポイント又は次いでアクセス・ポイント又は他の下位コーディネーターに接続している下位コーディネーターである場合がある。
【００１９】
各々のゲートウェイは、アクセス・ポイント（完全に機能ノード又は「F」ノード）に取り付けられ、これはそのアクセス・ポイントに物理的に取り付けられ、無線ネットワークにおける他のノードへの無線接続ポイントを提供する。図１に示されるリンク（数字付けされていない線で示される）は、複数のデバイス間の直接の（単独のホップ・ネットワーク層）接続を示す。形式的ネットワーク層（図１に示される３つの段の各々のその機能）は、ルーティング・デバイスと共に一連のこれらの直接リンクを用いて、ネットワーク上の一つのデバイスから他のデバイスまでメッセージ（断片的又は非断片的）を送る。
【００２０】
WSN １０は、下部の段デバイス１８及び２０で作動するアプリケーション層への状況デバイス・アプローチを実行する。そのようなアプローチの特定の実行の例を以下に説明する。状況マシンにおける状況は強調して実行される機能のセットからなり、これらの機能は、特定の下部の段デバイスの状況デバイスにおける状況を変えるために個々に削除又は置き換え又は追加することができる。
【００２１】
ＷＳＮ状況機能ベースのアプリケーション層がエッジ・デバイス・オペレーティング・システム（図示されておらず、例えば上述の仮出願に開示されている）を使用し、これは、（デバイスを起動した後に）デバイスをリブートすることなく、個々のロード及び実行を可能とする（所謂「ダイナミック・プログラミング」）。他の実施例では、エッジ・デバイスがこのようなシステムを与えられた他の操作システムを使用することができ、（デバイスの起動の後に）好ましくはエッジ・デバイスのリブートをすることなく個々の機能のロード及び実行を可能とする。
【００２２】
多重 RF無線機支持によるネットワーク・レンジ・エクステンダを以下に説明する。レンジ・エクステンダは、メッシュ・ネットワークのリピーター又は下位コーディネーターとして実装されている。従って、この説明においては、用語「レンジ・エクステンダ」とは、メッシュ・ネットワークにおけるリピーター及びコーディネーター／下位コーディネーターを含むが、これらに限定されるものではない。メッシュ・ネットワークは自己治癒するネットワークを形成する様々なレンジ・エクステンダによって実装し得る。自然治癒するネットワークは、ネットワーク・ノードへのパスが中断されるならば、ネットワーク・パスを経路変更する。低出力ネットワーク及びセンサ・ネットワーク（図１）は、一つの無線機及び一つのプロセッサを有するレンジ・エクステンダを用いることができる。そのような標準的なレンジ・エクステンダは、このレンジ・エクステンダがサービスするネットワークのアクセス・ポイントとエンドノードに無線通信を多重送信し得る。
【００２３】
即ち、このレンジ・エクステンダは単独の無線機を含み、これは単独のプロセッサにより管理され、これは、その操作を時分割多重化するようにプログラムされており、二つのインターフェースを支持し、その一方はエンドノードへのものであり、一方はアクセス・ポイントへのものである。この支持は、周波数アジリテイ／ホッピング及び選択、プロトコル管理及び制御、メッセージ保管及びフォワーディング、並びに管理プロトコル状況及び環境関数を含むが、これらに限定されるものではない。エンドノードの例は、ネットワークの終了点であるセンサ・デバイスである。アクセス・ポイントの例は基地局又はその類いのものであり、それを通じて、他のデバイスはネットワーク上で通信し得る。
【００２４】
場合によっては、ネットワークは、低コストを達成するために性能及びメモリに制限が付いたプロセッサを使用する。これらのプロセッサは、携帯電話及び他の通信デバイスで用いられるプロセッサのタイプと比較すると、相当に制限が付くかもしれない。低出力／低エネルギー・ネットワークは、バッテリ駆動又はエネルギ採取デバイスを含むこともでき、期間に亘ってスリープになる（例えば、低電力状態に入る）。管理多重無線インタフェース及びRFプロトコルは、シングル・プロセッサ-レンジ・エクステンダ技術から、利用可能なプロセッサ帯域幅とメモリを消費することができる。また、ネットワーク操作は多重に持つことによって遅くなることがあり、２つの無線インタフェースを管理する。インターフェースの一方の側が他方の側がその活動を完了するのを待たなければならないので、性能も損なわれることがある。
【００２５】
複数のプロセッサと複数の無線機を有するアーキテクチュアは、プロトコル変換及び周波数及びプロトコル変換を実行して、ローカル・エリア・ネットワーク（LＡN）をワイド・エリア・ネットワーク（WＡN）（例えば、WＡNのためのセル・モデム）に拡大するのに用いられてきた。以下に説明するアプローチは、同じ周波数帯における操作と同じ標準的なプロトコル（例えばIEEE ８０２.１５.４）の使用を可能にして、レンジ・エクステンダにおいて実行され、これはそのエンドノード側とアクセス・ポイント側の各々に一つ以上の無線機と、各々の側の各々の無線機に対応する一つ以上のプロセッサを含む。レンジ・エクステンダは、パワー検知性デバイスを有するネットワークの一部である場合があり、そのパワー検知性デバイスは、バッテリ採取又はエネルギ採取を実行するデバイスを含むが、これに限定されるものではない。
【００２６】
ここに説明されたハードウェア・アーキテクチュアは、ソフトウェア・プロセス制限付きエンド・ノード・デバイスで作動を可能にするためにハードウェア（複数の無線機及びプロセッサ）の柔軟性に影響を及ぼすのを可能にし得る。一般に、ソフトウェア・プロセス、例えばセンサー・ネットワークのために使われるそれらのようなものは、モバイル通信（GSM（登録商標））セルラー・モデム・アーキテクチュアのためのＧｌｏｂａｌ  Ｓｙｓｔｅｍの類似物とすることができ、複数の制御チャンネルが使われ、モバイル機器は制御チャンネルのユーザーによりアイドル状態からまで作動のために管理されて割り当てられる。複数の制御チャンネルの概念とモバイル機器通信のための通信路の配分は、これらの低出力センサー・ネットワークにも適用し得る。
【００２７】
これに関連して、伝統的なアプローチにおいて、エンドノードはチャンネルへ行き、そのチャンネルをサービスする制御源を待機し得る。代替的に、エンドノードは制御チャンネルの一つに行くことがあり、一つ又は複数の制御チャンネルをサービスする制御源の利用可能性を待機する。制御源は、何れのチャンネルが命令チャンネルの上で次に動作するかを知らせる。これはノードが制御チャンネルで聞く間に遅延をもたらすことができる。更に、一つ以上のデバイスはウェイクアップすることができ、サービススを受ける必要がある。全てのそのようなデバイスは制御チャンネルの一つに行くが、より多くの制御チャンネルがより多くいほど、それは聞いているノードに着くためにより長く取る。また、制御チャンネルで聞いているデバイスは、次の通信路に行き、複数のデバイスが同時にアクセスを試みる場合があるならば、衝突をもたらすことがある。
【００２８】
一つの単独の無線機／プロセッサーレンジ・エクステンダの場合、エンドノードは、プロセッサがその現在の活動を完了して、何れの通信路が使われるかについて知らせるために制御チャンネルの一つに行くまで待機を必要とすることがあり、ＧＳＭ  ｃｅｌｌモデムと類似している。８０２.１５.４物理的層（PHY）は、ペイロードを含めて、パケットにつき、最大１２７バイトを可能とする。
【００２９】
ここで図１ Ａを参照すると、８０２.１５.４パケットの例が示されている。８０２.１５.４パケットはIEEE標準８０２.１５.４を参照し、それは低率無線個人地域ネットワーク（ＬＲ−ＷＰＡ）のために物理層と媒体アクセス制御を指定する。標準は、グループを動かしているIEEE ８０２.１５によって維持される。パケットは、点がメッセージの移動を示すために使われるアドレス・フィールドを含む。
６ＬｏＷＰＡＮ（低電力Ｉｐｖ６ワーキング・グループ）による８０２.１５.４パケット、ＵＤＰ（ユーザーデータグラム・プロトコル）及び他のプロトコルは、パケットの約１００バイト以下を送る。前置と同期の無線周波数（RF）条件が含まれているならば、パケットは１２７バイトより大きい。２７バイトのオーバーヘッドによる２５０  ＫＨｚの１００  バイト、約０.５ミリ秒が、伝達において使われる。アクノリッジパケットを送信して、情報を処理する応答時間は、更なる時間を加える。従って、概ね１ミリ秒が、エンドノードで通信サイクルに使用し得る。数バイトの伝送には、より少ない時間がかかるかもしれず、約０．７  ｍｓを推定し、というのは、オーバーヘッド及びメッセージ・アクノリッジ（ａｃｋ）が依然として存在するためである。
【００３０】
一般的に、滞留時間が複数のデバイスのサービスに使われる。通信路の上の一般的な滞留時間は１０  ｍｓ以上とすることができ、制御チャンネルで聞いているエンドノードはサービスのための少なくとも１０  ｍｓ待機し得る。この待機は、複数のアナウンスメント複数の制御チャンネルでなされるならば、増大する。チャンネル上の通信の後に、アクセス・ポイント又はレンジ・エクステンダは、異なる方式でその次の通信路を知らせることがある。しかしながら、時間は、周波数ホッピング及び次の通信路を知らせるために費やされている。
【００３１】
ここで図１Ｂを参照すると、６ＬｏＷＰＡＮメッシュ・タイプ・ヘッダの例が示されている。エンドノードがアクセス・ポイントへメッセージを送ると、同じ操作が起こる。例えば、レンジ・エクステンダはアクセス・ポイントからメッセージを受け取って、そのルーティング・プロトコル及びルーティング・テーブルを用いて、その最終的な目的地であるエンドノードへの経路に沿って次のノードにメッセージを送り届ける。レンジ・エクステンダ・ルーティング・テーブルから、レンジ・エクステンダは、最終的な目標地へ到達するために、最終的な目的地、次のホップ場所（その目的地のためのもの）、及び推定されたホップの数を使用し得る。最終的な目的地と次のホップ場所が同じであるならば、ホップの推定された数はゼロであり、エンドノードに達する。
【００３２】
ここに説明されたプロセスは、バッテリ又はエネルギ採取要素から駆動されるパワー感知性デバイスのために適している複数の無線機アーキテクチュアを規定する。幾つかの実施例では、ペイロード及びルーティング情報のみがアクセス・ポイント側からレンジ・エクステンダのエンドノード側における走査式無線機まで送られる。異なるＰＨＹプロトコル又は作動周波数によってでさえ、レンジ・エクステンダの各々の側は、独立して作動することができる。若干の実施例では、一つの無線機は、一度に一つのデバイスと通信することができるだけである。単独のRFチャンネルのために、一つよりも多くのデバイスがアクセス・ポイントに通信しようとするならば、デバイスは交替しなければならないであろう。単独の無線機を用いて単独の無線機を用いる無線ネットワークの両側にサービスを提供するとき、プロトコル・チャレンジが生じることがあり、メッセージ転送又はノード（これは低コスト／低電力無線ネットワークの場合のようにウェイク・アップされる）管理を予定せねばならず、既に説明したネットワーク機能に加えて、レンジ・エクステンダ又はアクセス・ポイントは、対応するアクセス・ポイントとの同期を維持する必要があるであろう。無線ネットワークの両側への独立した無線機インターフェースと一つ以上のプロセッサが対応する一つ又は複数の無線機を制御する分割アーキテクチュアが説明される。例示的実施例は、周波数ホッピング又はチャンネルの予め規定された数の使用を必要としないことによって、ネットワークがそのチャンネル計画を管理するのを可能とする。以下に説明したディジタル変調はチャンネル使用を管理して、ノードがウェイクアップするのに応答する。場合によっては、ここに説明されたプロセスは、情報を送信又は聞くために起きるスリーピング・デバイスの認識の速度を改善することがある。幾つかのネットワークでは、アクセス・ポイントはレンジ・エクステンダ又はエンドノードに通信するだけである。ノードがレンジ・エクステンダに関係しており、レンジ・エクステンダがアクセス・ポイントと関係しているときに、アクセス・ポイントがエンドノードに達するために、アクセス・ポイントはレンジ・エクステンダにそのメッセージを送り、レンジ・エクステンダはルーティング・プロトコルを用いてメッセージをエンドノードに送る。アクセス・ポイント・メッセージがレンジ・エクステンダ（ホップ）によってどこに次に送られることになっているかという情報が、６LOWPＡペイロードにおける情報により判定される。
【００３３】
ここで図２を参照すると、エンドノード、レンジ・エクステンダとアクセス・ポイントを有するネットワーク４１を含む例示的アーキテクチュア４０が示されている。ネットワークは、無線エンドノードを含む任意のネットワークとすることができ、特に、図１に示されるＷＳＮネットワーク１０とすることができる。一般に、ネットワーク４０は、複数のエンドノード（１つのエンドノード４２は図２に示される）、１つ以上のレンジ・エクステンダ（１つのレンジ・エクステンダ４４は図２に示される）と１つ以上のアクセス・ポイント（１つのアクセス・ポイント４６は図２に示される）を含む。複数のエンドノード各々、例えば、エンドノード４２と、複数のアクセス・ポイントの各々、例えばアクセス・ポイント４６は、信号の送信／受信のための対応するアンテナ４２ａ、４２ａを含む。
また、複数のレンジ・エクステンダの各々、例えば、レンジ・エクステンダ４４は、それぞれエンドノード４２とアクセス・ポイント４６との間の信号の送信／受信のための一対のアンテナ４４ａ、４４ｂも含む。従って、図２において、エンドノード４２はアンテナ４２ａ及び４４ａを介して信号を送信／受信し、アクセス・ポイント４６はアンテナ４４b及び４６ａを介して信号を受信／送信する。アクセス・ポイント４６は、ネットワーク４０に接続するゲートウェイ４８に結合する。
【００３４】
ここで図３を参照すると、例示的レンジ・エクステンダ４４は、エンドノード４２（図２）に通信するためのエンドノード無線機５２及びエンドノード・プロセッサー５３と、アクセス・ポイント４６（図２）に個別に通信するためのエンドノード４２（図２）と。及びアクセス・ポイント４６（図２）と個別に通信するためのアクセス・ポイント無線機５６及びアクセス・ポイント・プロセッサ５７とを含む。そのプロセッサ５３，５７は、それぞれの無線機５２、５６を制御する。プロセッサ５３、５７は、プロセッサ５３、５７の間で通信する処理に携わり、ここではネットワークの一方の側（例えば、アクセス・ポイント側）からの無線メッセージは回復されて、プロセッサ５７により処理されて、ネットワークの他方の側（例えば、エンドノード側）におけるプロセッサ５３へ転送される。
【００３５】
メッセージ転送は、プロセッサ５３、５７の間で、直接メモリ・アクセス（DMＡ）又は他の転送方法を用いて行うことができる。各々のプロセッサ５３，５７は、それに接続される無線インタフェースの側（アクセス・ポイント又はエンドノード）におけるそれ自身の無線通信を管理する。プロセッサ指示は、周波数アジリティ／ホッピング及び選択、プロトコル管理及び制御、メッセージ記憶及び転送、並びに、管理プロトコル状態及び環境機能を含むが、これらに限定されるものではない。
【００３６】
ネットワークの異なる側（例えば、エンドノード側とアクセス・ポイント側）におけるプロセッサ５３、５７は任意の適切なチューニング・パラメータでも交換し合うこともあり、それは幾つかの実施例においては、ネットワーク性能を向上し得る。これは直交周波数伝達を維持する際の周波数使用、エンドノードとの通信、及び他の操作条件、例えば操作の健全性及び状況と通信する統計値を含むが、これらに限定されるものではない。
レンジ・エクステンダ４４の他の実施例においては、一つ又は複数のエンドノード又はエンドノードと通信するために一つ以上のエンドノード無線機及び／又は一つ以上のエンドノード・プロセッサと、一つ又は複数のアクセス・ポイントと個別に通信するための一つ以上のアクセス・ポイント無線機及び／又は一つ以上のアクセス・ポイント・プロセッサが存在し得る。
【００３７】
レンジ・エクステンダ４４においては、ネットワークの各々の側の弁別性、及び如何にしてこれをレンジ・エクステンダ４４内で分割するかが、アクセス・ポイントへのインターフェースの追跡、並びにエンドノードの追跡を可能とする。レンジ・エクステンダ４４がネットワークの他方の側及びその逆を管理しているので、レンジ・エクステンダ４４は、アクセス・ポイント・メッセージが紛失する虞を取り除く。
図３において、別々のエンドノードとアクセス・ポイント・プロセッサ５３と５７が使われる間、幾つかの実施例では、単独のマルチコア・プロセッサが、エンドノード４２に関連した操作に専用とされた一つ以上のコアと、アクセス・ポイント４６に関連した操作に専用とされた別のコアと共に使用し得る。これはまたレンジ・エクステンダ４４が一つの周波数帯で複数の無線プロトコルを支持することも可能である。これは、各々の別々のプロセッサ５３、５７にプロトコル及び無線インターフェースを管理させることにより達成し得る。また、より高性能マルチコア・プロセッサを一つの側で複数の無線機を管理するのに用いることができる。
【００３８】
図１において説明されるような制限付きネットワーク、例えば、制限付きデバイスから成るネットワークにおいて用いられるレンジ・エクステンダには、一つの無線機があり、これはアクセス・ポイントからの情報を多重送信し、かつ、この同一の無線機が情報をエンドノードへ再送信する。しかしながら、このアプローチは同期プロセス（例えば、正確なタイマーとネットワークの各側における操作の終了）の使用を必要として、情報伝達が起こる速度に影響を及ぼすことがある。図３のレンジ・エクステンダ４４は二つの側、即ちエンドノード側とアクセス・ポイント側との間の操作を分断し、単独の無線機を用いている多重送信ネットワーク通信を必要としないようにする。チャンネル使用及び他のパラメータは、両方の無線機が同時に同じチャンネルで働かないように管理される。
【００３９】
北アメリカ操作のために、例示的実施例は、５００のＫＨｚの６ｄＢの帯域幅を占める広範な変調を用いる。ＦＣＣは、広いディジタル変調のために一回のチャンネル操作を可能とする。この変調帯域は、無線機５３を一つのチャンネルにとどまらせ、エンドノード４２と通信させる。別の無線機５７は別のチャンネルにおいて同時にアクセス・ポイント４６と通信し得る。ＲＦチャンネル上でディジタル的に送信されたデータは、ディジタル変調と称されている。無線機により用いられるＲＦ周波数は、本明細書においてはチャンネルと称する。この周波数は、送信されているデータに、何らかの方法で影響を受ける。
通信において一般的なに使われる変調技術の例は、振幅変調（ＡＭ）、オン−オフ・キーイング（ＯＯＫ）、周波数シフト・キーイング（ＦＳＫ）、位相シフト・キーイング（ＰＳＫ）、及び直角位相振幅変調（ＱＡＭ）を含む。他の変調技術を用いることができる。通常、周波数の変調によって発生する周波数スペクトルは、変調の特徴によって特徴づけられる。
【００４０】
図４を参照すると、変調している信号が２５０ＫＨｚであり、変調がＯＯＫ、ＰＳＫ又は類似の変調技術であるならば、図示のように、周波数スペクトルは５００ＫＨｚ帯域を占めるメインローブを有する。
【００４１】
図５を参照すると、５００ＫＨｚ６ｄＢ帯域幅を占めているディジタル変調も図示のようにＦＳＫ変調で生成することができる。ＦＳＫ変調は、一又は零を表すために２つの周波数を用いる。周波数における差異は、占められた帯域幅を規定する。実際の変調率は、上述のようにローブを規定する。ここに説明される実施例は例示であって、多くの異なる種類の実施例があり得る。
【００４２】
図６を参照して、無線機５６ａ、５６ｂ及びプロセッサ５６７ａ、５７ｂは、レンジ・エクステンダ４４'及びアクセス・ポイント（図示せず）により用いられる各々のチャンネルのためにアンテナ４４ｂ−１及び４４ｂ―２と共に提供される。無線機５６ａ、５６ｂは任意のチャンネル上でウェイクアップする任意のノードを聞く。ノードはウェイクアップして直ちにレンジ・エクステンダ４４'に送信し得る。代替的に、ランジ・エクステンダ４４‘は第２の連続的ピングを送信することがあり、ノードがウェイクアップしたときに応答し得る。比較的に低数のチャンネルによるネットワークのために、このアプローチが使われるかもしれない。
【００４３】
代替的実施例では、一つ以上のプロセッサは、アクセス・ポインは又は、エンドノードへの幾つかつかの無線機を管理することができる。幾つかの実施例では、チャンネルは高速ネットワーク取得の必要に基づいて割り当てられることができる。例えば、図２のレンジ・エクステンダ４４では、一つ以上の無線機がパワー感知性（バッテリー又は収集）であるノードのために特定のチャンネルの上で聞くために専用され、一方、本線で駆動されるエンドノードは異なるチャンネル配分を使用して操作れる。チャンネルはエネルギ感受性と主線パワーとの間に交互に置かれるか、又は高及び低い帯域方式の間で分岐する。より多くのチャンネルが１種類のノードに割り当てられるかもしれない。この種のアーキテクチュアの利点は、主線パワー・デバイスが無線機に連携せず、単独のプロセッサａ      アーキテクチュアにおいて起こり得るように、（アクセスからの）エネルギ感受性エンドノードを欠乏させる。
【００４４】
図７を参照すると、プロセッサ（一般に５３）及びアンテナ（符号を付されていない）を有する二つ以上の無線機（一般に５２）は、図示のように単独アクセス・ポイント・プロセッサ５６及びアクセス・ポイント無線機（及びアンテナ）により、エネルギ感知性ノード・チャンネルを管理するように専用させることができる。利用可能な二つの無線機５２によれば、二つの無線機の一方は、ランダムに又は定期的に主パワーチャンネルを保守し、エネルギ感知性ノードをより頻繁にさせることを可能とする。より多くの無線機５２をエネルギ感知性ノード・チャンネルへ割り当てると、エンドノードによるエンドノードによるランダム・チャンネル選択が、コリジョンを低減することにより、改善された通信を可能とすることがある。上述の場合のように、チャンネル毎の無線機がパワー感知性デイスのために使用されることがあり、電源パワー・デバイス又は無線機が複数のチャンネルを共有することができる。
【００４５】
複数の無線機５２の使用は異なる処理に用いることができる。例えば、３つの無線機（図示せず）がレンジ・エクステンダに利用できるならば、各々の無線機はその対応するプロセッサにより制御することができ、ネットワーク測定、設定又は他の基準に基づくその法律で禁止された機能を変えることができる。例えば、無線機の一つがアクセス・ポイントに通信しているならば、その無線機はその対応するプロセッサによりエンドノード側の走査を変えるように構成することができる。このように、無線機の機能は、アクセス・ポイント通信からエンドノード側通信に変えることができる。
【００４６】
ここで図８を参照すると、プロセッサ／無線機が機能性を変える例示的処理６０においては、以下の操作が実行される。ラジオ５６のためのプロセッサ５７がアクセス・ポイントと通信し、アクセス・ポイントへ送信されるデータが無いことを認識する６２。次の周波数変化においては、プロセッサは、無線機をその機能性をエンドノード側に作用させるために変える。機能性変化の発生は、ネットワークにおける他の無線機へ通信された６６。この通信は、変化に加えて、アクセス・ポイントが次の周波数を用いる予期された滞留時間を含む。滞留時間の終わりの前に、一つの無線機は、アクセス・ノードの側で通信するように、その個性を変化し得る。
【００４７】
何れの無線機／プロセッサがその個性を変えるかは、何れの無線機／プロセッサが走査のときにエンドノードを見つけなかったかに依存する。或いは、主線パワー・チャンネルにおける操作を完了している無線機は、他の伝達を開始しないことがあり、その対応するプロセッサは、その無線機に関連したプロセッサが他の無線機がビジー状態であり、滞留時間が間もなく期限切れになることを知るならば、無線機の機能性を変えることがある。
【００４８】
全てのチャンネルがエネルギ感知性であるならば、無線パケットの受領を完了した無線機の一つは、ネットワーク上で他の無線機へ、処理のためにパケットが利用可能であり、そのチャンネルが使用されることを伝える。無線機／プロセッサは、機能性をアクセス・ポイント通信に変えることがある。
【００４９】
期間の間に、一つ以上の（例えば、３つの）プロセッサがエンドノード側にある場合、全てのプロセッサはエンドノード側で起動し得ることがある。複数の無線機を有することの利点は、エンドノードがチャンネルが混んでいると解るならば、エンドノードが他のチャンネルに変わることがあるということであり、これは対応する無線機を有する（エネルギ感知性ノードのためのチャンネル毎に一つの無線機）。これは、エンドノードがレンジ・エクステンダと通信するために待機せねばならない時間を減らす。
【００５０】
ここに説明された処理の利点は、ネットワーク、例えば８０２.１５.４のようなネットワークに特に適用可能であるが、それに限定されるものではない。例えば、レンジ・エクステンダは図３のアーキテクチュアを実装することができ、そのように、無線インタフェースの両側（エンドノード及びアクセス・ポイント側）におけるイベントに実時間で応答できるようにし得る。ネットワークの各々の側における周波数ホッピング追跡は、或る実施例では可能であり、というのはアクセス・ポイントからのメッセージが、インターフェースのエンドノード側に保守をなすのに起因して、届かないことがないようにするためである。また、レンジ・エクステンダのエンドノード側は、メッセージを発することができウェイク・アップするスリーピング・ノードのために聞くことができる。デジタル変調は単独のチャンネル操作及び複数の無線機によるチャンネル計画を作成するために使用されることがある。
【００５１】
図９は、図１に関連して説明したＷＳＮの特徴を有し、かつ、ここに説明する様々な機能性を有する保安・システムの一例である。図９に示すように、相関関係処理は、特定の制限付きノード（これらを完全に機能性ノードとすることもできるが）から入力を受け取る。これらの入力はネットワークについて認証情報及びビデオ情報を含むことがあり、かつ、相関関係処理はネットワーク上で送られた相関した結果をもたらし得る。状況管理処理は、特定の制限付きノード（これらは完全に機能ノードとすることができるが）から入力、例えば認証情報並びにビデオ及びグルーピング情報を受け取り、ネットワーク上に送られた結果により状況管理処理を実行する。ネットワークは、緊急出口指標の作動を支持し、緊急カメラ並びに分散基準処理及びエンジン／メッセージ発信処理である。
【００５２】
レンジ・エクステンダが例えば、ゲートウェイと共に用いられ、図示のように、実時間位置システムは、様々なセンサ（例えば、制限付きタイプ）から入力を受け取る。サーバーは、クラウド・コンピューティング構成を介してＷＳＮへインターフェースして、ネットワークの部分は、サブネットとして実行することができる。
【００５３】
センサは、特定のセンサへの入力の広範な分析を実行するために要求される侵入検出パネルを伴うことなく、センサの範囲内の領域において何かが検出されたという指標に加えて、その指標が何であるかを評価するのに用いることができる詳細な付加的情報を与える。
【００５４】
例えば、動作検出器は室内を動き回る暖かい体の熱的特徴を分析して、その体が人物のものかペットのものであるかを判断するように構成することができる。その分析の結果は、検出された体に関する情報を伝達するメッセージ又はデータになる。このように様々なセンサは、侵入検出パネルにおいて真の又は確認された警報状況を検出するのに適切な組み合わせにおいて、音、動作、振動、圧力、熱、イメージ、その他を感知するのに用いられる。
【００５５】
認識ソフトウェアは、人間である対象物と動物である対象物とを区別するのに用いることができ、更なる顔認識ソフトウェアをビデオ・カメラに組み込むことができ、周辺への侵入が認可され許可された個人によるものであることを確かめるのに用いることができる。そのようなビデオ・カメラは、プロセッサ及びメモリ並びに認識ソフトウェアを含み、その認識ソフトウェアカメラによる入力（捕捉されたイメージ）を処理し、ビデオ・カメラにより捕捉された個人の認識の認識又は欠如に関する情報を伝達するメタデータを生成する。この処理は、また代替的に又は付加的に、ビデオ・カメラにより捕捉された／監視された領域において、個人の特徴に関する情報を含むこともできる。このように、状況に応じて、情報は、周辺への侵入の特徴を与えるセンサへの入力において向上された分析を実行する強化された動作検出器及びビデオ・カメラから受け取られたメタデータと、対象の認知を行うために非常に複雑な処理からもたらされるメタデータとの何れかである。
【００５６】
センサ・デバイスは、より複雑な出力を生成する統合型多重センサとすることができ、侵入検出パネルはその処理能力を利用してアルゴリズムを実行することができ、これは環境の仮想イメージ又は特性を構築することにより環境を分析し、破損箇所の有効性に関する理にかなったな定をなす。
【００５７】
メモリは、侵入検出パネルのプロセッサにより用いられるプログラム指令及びデータを記憶する。メモリはランダム・アクセス・メモリと読出し専用メモリとの適宜な組合せであることがあり、プログラム指令（例えばファームウェア又はオペレーティング・ソフトウェア）並びに構成及び操作データに適するホストであることがあり、また、ファイルシステム乃至は別のものとして体系化し得る。内蔵プログラム指令は、一人以上のユーザーを認証する一つ以上の認証方法を含み得る。パネルのメモリに記憶されたプログラム指令は、ネットワーク通信及びデータ・ネットワークへの接続の確立を可能にするソフトウェア構成要素を更に記憶し得る。ソフトウェア構成要素は、例えば、インターネット・プロトコル（ＩＰ）スタックのみならず、様々なインターフェース（インターフェース及びキーパッドを含む）のためのドライバー構成要素を含み得る。ネットワークに亘る接続及び通信を確立するのに適する他のソフトウェアは、当業者には自明であろう。
【００５８】
構成データと共にメモリに記憶されたプログラム指令は、パネルの全体的な操作を制御し得る。
【００５９】
監視サーバーは、一つ以上の処理デバイス（例えば、マイクロプロセッサ）、ネットワーク・インターフェース、及びメモリ（全て図示しない）を含む。監視サーバーはラック搭載カードの形態を物理的に採ることがあり、一つ以上のオペレーター・ターミナル（図示せず）と通信し得る。例示的例監視サーバーは、ＳＵＧＡＲＤ（登録商標）ＳＧ―ＳＹＳＴＥＭ  ＩＩＩ  Ｖｉｒｔｕａｌ若しくは類似のシステムである。
【００６０】
各々の監視サーバーのプロセッサは、各々の監視サーバーのためのコントローラとして働き、各々のサーバーと通信し、その全体的な操作を制御する。プロセッサは、監視サーバーの全体的な操作を制御しているプロセッサ実行可能な指令を保存するメモリを含むか、それと通信していることがある。適宜なソフトウェアは、各々の監視サーバーが警報を受けて、適切な行為を起こすことを可能にする。ソフトウェアは、適宜なインターネット・プロトコル（ＩＰ）スタックとアプリケーション／クライアントを含むことがある。
【００６１】
中央監視ステーションの各々の監視サーバーは、ＩＰアドレス及びポート（又は複数のポート）に関連していることがあり、これにより制御パネルに通信するか及び／又はユーザー機器が警報イベント等を取り扱う。監視サーバー・アドレスは静的であることがあるので、侵入検出パネルに監視サーバーの特定の一つを常に特定する。これに代えて、動的アドレスを用いることができ、静的ドメインネームに関係し、ドメインネーム・サービスを通じて変化される。
【００６２】
ネットワーク・インターフェース・カードはネットワークにインターフェースして、到来信号を受け取り、例えば、イーサネット・ネットワーク・カード（ＮＩＣ）の形態を採ることもある。このサーバーは、コンピュータ、シン・クライアント、又はその種のものとすることができ、これは警報イベントを表す受信データが人間オペレータによる取扱いのために渡される。監視ステーションは、データベース・エンジンの制御の下のデータベースを含む加入者データベースを更に含むか、若しくはそれにアクセスすることがある。データベースは、監視ステーションによりサービスを提供されているパネルのようなパネルへ様々な加入者デバイス／プロセスに対応する入力を含み得る。
【００６３】
ここに説明した処理の全部又は一部及びそれらの様々な変更例（以下、「処理」と称する）は、少なくとも部分的には、コンピユータ・プログラム製品、即ち、一つ以上の有形な物理的ハードウェア記憶デバイスに有形に具体化されたコンピュータ・プログラムを介して実施でき、そのハードウェア記憶デバイスは、コンピュータ及び／又は機械可読記憶デバイスであり、これは、データ処理装置、例えばプログラマブル・プロセッサ、コンピュータ、又は複数のコンピュータにより実行されるか若しくはその操作を制御する。コンピュータ・プログラムは、コンパイル又は解釈された言語を含むプログラミング言語の任意の形式で書くことができ、それはスタンドアロン・プログラムとして又はモジュール、構成要素、サブルーチン、又はコンピューティング環境における使用のために適する他のユニットとして含む任意の形式に展開することができる。コンピュータ・プログラムは、一つのコンピュータで、又は、一つのサイト又は複数のサイトに亘って分散されてネットワークにより相互接続された複数のコンピュータで実行されるように展開することができる。
【００６４】
この処理の実施に関連した行為は、較正処理の機能を実行する一つ以上のコンピュータ・プログラムを実行する一つ以上のプログラマブル・プロセッサにより実行することができる。この処理の全部又は一部は、特殊用途論理回路、例えば、ＥＰＧＡ（フィールド・プログラマブル・ゲート・アレイ）及び／又はＡＳＩＣ（特定用途向け集積回路）として実施できる。
【００６５】
コンピュータ・プログラム指令及びデータのロセッサは、例示として、汎用と特定用途用との両方のマイクロ・ロセッサ、及び任意の種類のデジタル・コンピュータの任意の一つ以上のプロセッサを含む。一般に、処理は読み出し記憶領域又はランダム・アクセス記憶領域またはその両方から指令及びデータを受け取る。コンピュータ（サーバーを含む）の要素は、指令を実行するための上のプロセッサと、指令及びデータを記憶するための一つ以上の記憶領域デバイスとを含む。一般に、コンピュータは、一つ以上の機械可読記憶媒体、例えばデータを記憶するための大量記憶デバイス、例えば、磁気、磁気−光学ディスク、又は光学ディスクを含むか、又はこれらからデータを受け取るように若しくはこれらにデータを転送するように、又はその両方のために作動的に結合されている。
【００６６】
コンピュータ・プログラム指令及びデータを実施するのに適する有形な物理的ハードウェア記憶デバイスは、不揮発性記憶の全ての形態を含み、これは例として、半導体記憶領域デバイス、例えば、ＥＰＲＯＭ、ＥＥＰＲＯＭ、及びフラッシュ記憶領域デバイス、磁気ディスク（例えば、内蔵ハードディスク又はリムーバブル・ディスク）、磁気−光ディスク、及びＣＤ−ＲＯＭ及びＤＶＤ―ＲＯＭディスク、及び揮発性コンピュータ・メモリ、例えばＲＡＭ、例えば静的及び動的ＲＡＭ、並びに、消去可能メモリータを含む（例えば、静的でダイナミックなRＡMのようなRＡM）ならびに消去可能な記憶、例えば、フラッシュメモリを含む。
【００６７】
更に、図に描かれ論理フローは、図示された特定の命令又は連続した命令を必要とせず、望ましい結果を成し遂げる。更に、説明したフローに対して、他の行為が与えられるか、行為が排除されることがあり、説明されたシステムに対して、他の構成要素が加えられるか、又は除去されることがある。同様に、図に示された行為は、異なる実体によって実行又は強化されることがある。
【００６８】
ここに説明された異なる実施形態の要素は、上述には記載されていない他の実施形態を形成するために結合されてもよい。要素は、ここに説明された処理、コンピュータ・プログラム、ウェブページ等から、それらの操作に悪影響を与えることなく、省略してもよい。更にまた、様々な別々の要素は、ここに説明された機能を実行するために、一つ以上の個々の要素に結合してもよい。
【００６９】
特にここに説明されない他の実施例は、以下の特許請求の範囲の範囲内でもある。
【図１】
2017514335.tif 000003
【図１Ａ】
2017514335.tif 000004
【図１Ｂ】
2017514335.tif 000005
【図２】
2017514335.tif 000006
【図３】
2017514335.tif 000007
【図４】
2017514335.tif 000008
【図５】
2017514335.tif 000009
【図６】
2017514335.tif 000010
【図７】
2017514335.tif 000011
【図８】
2017514335.tif 000012
【図９】
2017514335.tif 000013
【国際調査報告】
2017514335.tif 000014